(57)【要約】【課題】遠隔制御部で消費する全体の電力を低減できる遠隔制御システムを提供する。【解決手段】機器１への動作指示操作及び機器１の作動状態表示を行う遠隔制御部３、４と、機器１の動作を制御する機器制御部２と、前記遠隔制御部３、４及び前記機器制御部２へ電源を供給する電源部５とを備え、前記電源部５は、機器１が待機状態になった時に前記遠隔制御部３、４への供給電圧を変化させて、機器１の消費電力を低減させるようにしてある。【選択図】図１
2005151103.tif 000002
【特許請求の範囲】
【請求項１】
機器への動作指示操作及び機器の作動状態表示を行う遠隔制御部と、機器の動作を制御する機器制御部と、前記遠隔制御部及び前記機器制御部へ電源を供給する電源部とを備え、前記電源部は、機器が待機状態になった時に前記遠隔制御部への供給電圧を変化させて、機器の消費電力を低減させる遠隔制御システム。
【請求項２】
機器が待機状態になったことを前記機器制御部が判断し、前記電源部から前記遠隔制御部への供給電圧を変化させる制御を行う請求項１に記載の遠隔制御システム。
【請求項３】
機器を待機状態にすることを前記遠隔制御部が前記機器制御部に指示し、前記電源部から前記遠隔制御部への供給電圧を変化させる制御を行う請求項１に記載の遠隔制御システム。
【請求項４】
複数の遠隔制御部を有し、機器が待機状態になった時に、その待機の状態に応じて遠隔制御部毎に供給電圧を変化させる制御を行う請求項１〜３のいずれか１項に記載の遠隔制御システム。
【請求項５】
機器が待機状態になった時に、前記電源部から前記遠隔制御部への供給電圧を低下させることにより機器の消費電力を低減させる、請求項１〜４のいずれか１項に記載の遠隔制御システム。
【請求項６】
機器が待機状態になった時に、前記電源部から前記遠隔制御部への供給電圧を間欠供給することにより機器の消費電力を低減させる、請求項１〜４のいずれか１項に記載の遠隔制御システム。
【発明の詳細な説明】
【技術分野】
【０００１】
本発明は、機器の遠隔制御における消費電力低減に関するものである。
【背景技術】
【０００２】
従来、この種の遠隔制御システムでは、電力を比較的多く消費する表示部を消灯することにより消費電力の低減を行っている（例えば、特許文献１参照）。
【特許文献１】特開２００２−１４７８４０号公報
【発明の開示】
【発明が解決しようとする課題】
【０００３】
しかしながら、前記従来の構成では、表示部で消費する電力のみを低減させているので、大幅な消費電力の低減を行うことができない、また表示を消灯するので、使用者に対して多少の不便を与えるという課題を有していた。
【０００４】
本発明は、前記従来の課題を解決するもので、遠隔制御部で消費する全体の電力を低減できる遠隔制御システムを提供することを目的とする。
【課題を解決するための手段】
【０００５】
前記従来の課題を解決するために、本発明の遠隔制御システムは、機器が待機状態になった時に遠隔制御部への供給電圧を変化させるようにしたものである。
【０００６】
これによって、遠隔制御部全体で消費する電力の削減ができる。
【発明の効果】
【０００７】
本発明の遠隔制御システムは、機器が待機状態になったときの遠隔制御部全体で消費する電力の削減ができ、機器全体の待機時消費電力を低減させることができる。
【発明を実施するための最良の形態】
【０００８】
第１の発明は、機器への動作指示操作及び機器の作動状態表示を行う遠隔制御部と、機器の動作を制御する機器制御部と、前記遠隔制御部及び前記機器制御部へ電源を供給する電源部とを備え、前記電源部は、機器が待機状態になった時に前記遠隔制御部への供給電圧を変化させることにより、前記遠隔制御部での電力消費を削減できるので、機器全体の待機時消費電力を低減させることができる。
【０００９】
第２の発明は、特に、第１の発明の機器が待機状態になったことを前記機器制御部が判断するようにしたことにより、機器の動作状態に応じて、前記電源部から前記遠隔制御部への供給電圧の変化を的確に行うことができ、前記遠隔制御部での電力消費を削減できるので、機器全体の待機時消費電力を低減させることができる。
【００１０】
第３の発明は、特に、第１の発明の機器を待機状態にすることを前記遠隔制御部が前記機器制御部に指示するようにしたことにより、前記電源部から前記遠隔制御部への供給電圧の変化を使用者の意図で行うことができ、前記遠隔制御部での電力消費を削減できるので、機器全体の待機時消費電力を低減させることができる。
【００１１】
第４の発明は、特に、第１〜３いずれか１つの発明で、複数の遠隔制御部を有する場合、機器が待機状態になった時に、その待機の状態に応じて遠隔制御部毎に供給電圧を変化させることができ、前記遠隔制御部での電力消費を削減できるので、機器全体の待機時消費電力を低減させることができる。
【００１２】
第５の発明は、特に、第１〜４いずれか１つの発明の、機器が待機状態になった時に、前記電源部から前記遠隔制御部への供給電圧を低下させることができ、前記遠隔制御部での電力消費を削減できるので、機器全体の待機時消費電力を低減させることができる。
【００１３】
第６の発明は、特に、第１〜４いずれか１つの発明の、機器が待機状態になった時に、前記電源部から前記遠隔制御部への供給電圧を間欠供給することができ、前記遠隔制御部での電力消費を削減できるので、機器全体の待機時消費電力を低減させることができる。
【００１４】
以下、本発明の実施の形態について、図面を参照しながら説明する。なお、本実施の形態によって本発明が限定されるものではない。
【００１５】
（実施の形態１）
図１は、本発明の実施の形態における遠隔制御システムの構成図を示すものである。
【００１６】
図１において、機器本体１に内蔵された、機器制御部２と信号通信を行い、動作指示操作及び機器の作動状態表示を行う１つめの遠隔制御部３と、２つめの遠隔制御部４とは、機器制御部２によって制御される電源部５から電源の供給を受けて動作する。
【００１７】
以上のように構成された遠隔制御システムについて、以下その動作、作用を説明する。
【００１８】
まず、機器本体１が待機状態になった場合は、機器本体１を制御する機器制御部２がその判断を行い、１つめの遠隔制御部３と、２つめの遠隔制御部４に対して、機器本体１が待機状態になった旨を伝える信号通信を行った後、電源部５に対して電源電圧を変化させる制御を行う。電源電圧を変化させる方法は、電圧を低下させる低電圧駆動か、電圧を間欠的に供給する間欠駆動のうち、電源構成によって有利な方法を選べば良い。電源電圧を間欠駆動させた場合は、遠隔制御部３と４が間欠動作すると使い勝手が悪いので、遠隔制御部３と４側に平滑用の容量等を備えれば、低電圧駆動と同様な効果が得られる。この場合、遠隔制御部３と４は、機器本体１が待機状態になったことを信号通信によって認識しているので、表示部の照明を消灯したり、動作スピードを低下させたりすることにより、更なる低消費電力化を図ることもできる。１つめの遠隔制御部３と、２つめの遠隔制御部４とで設置場所の用途が異なる場合、片側はまだ使用するが、もう一方はその後一定期間使用しない場合もあり得る。そのような設置のときは、必要でない遠隔制御部へ供給する電源部５からの電源電圧のみ変化させることも可能であるし。また、遠隔制御部３または４から機器制御部２に指示し、電源部５から遠隔制御部３または４もしくは３及び４への供給電圧を変化させる制御を行うことも可能である。
【００１９】
以上のように、本実施の形態においては、機器への動作指示操作及び機器の作動状態表示を行う遠隔制御部と、機器の動作を制御する機器制御部と、前記遠隔制御部及び前記機器制御部へ電源を供給する電源部とを備え、前記電源部は、機器が待機状態になった時に前記遠隔制御部への供給電圧を変化させることにより、前記遠隔制御部での電力消費を削減できるので、機器全体の待機時消費電力を低減させることができる。
【産業上の利用可能性】
【００２０】
以上のように、本発明にかかる遠隔制御システムは、機器が待機状態になったときの遠隔制御部全体で消費する電力の削減ができ、機器全体の待機時消費電力を低減させることができるので、設備機器、ビル管理システム、工場管理システム等の用途にも適用できる。
【図面の簡単な説明】
【００２１】
【図１】本発明の実施の形態１における遠隔制御システム図
【符号の説明】
【００２２】
１  機器本体
２  機器制御部
３  １つめの遠隔制御部
４  ２つめの遠隔制御部
５  電源部
【図１】
2005151103.tif 000003